(57)【要約】      （修正有）【課題】簡単に古い電球を簡単に取り外すことや新電球を簡単に取り付けることができる電球交換器を提供する。【解決手段】底部の上より上部にかけて次第に大きくした中空先太形状の肉薄カップ型の電球保持具１を、取付柄２の上部先端に、取付けた電球交換器３である。電球交換器は、底部の上より上部にかけて次第に大きくした中空先太形状の肉薄カップ型又は多角形筒形状の肉薄箱型の電球保持具を、取付柄の上部先端に、取付けたから、電球を交換する時は、取付柄の上部先端に取付けた電球保持具を、高い天井に設置した電球ソケットにネジ止めしてある古い電球に、この取付柄を作業者が手で持ち上げて取付柄先端の電球保持具を差し込んで保持した後に取付柄を逆回転することにより古い電球を電球ソケットより取り外すことできる。この際に脚立、椅子、梯子などを使用したり、足場を組んだりする必要もないとともに脚立などの上に乗って電球を交換する必要もないために簡単に古い電球を取り外すことができる。【選択図】図１
0003152164.tif 000002
【実用新案登録請求の範囲】
【請求項１】
底部の上より上部にかけて次第に大きくした中空先太形状の肉薄カップ型又は多角形筒形状の肉薄箱型の電球保持具を、取付柄の上部先端に、取付けてなる電球交換器。
【請求項２】
電球保持具が、取付柄の上部先端部に、着脱自在具により着脱自在に取付けてなる請求項１記載の電球交換器。
【請求項３】
電球保持具が、電球の大きさに合致よるように大きさの異なる複数個の電球保持具を用意して交換する電球の大きさに応じて換えて１個の電球保持具を、着脱自在具により取付柄の上部先端部に、着脱自在に取付けてなる請求項２記載の電球交換器。
【請求項４】
電球保持具が、電球保持具の上端から下端部の上方までに複数個の切欠部をほぼ等間隔に設けてなる請求項１，２又は３記載の電球交換器。
【請求項５】
電球保持具が、電球保持具の内側に合成樹脂製滑り止め用クッションを貼付して設けてなる請求項１，２，３又は４記載の電球交換器。
【請求項６】
電球保持具が、合成樹脂製の電球保持具である請求項１，２，３，４又は５記載の電球交換器。
【請求項７】
電球保持具が、厚紙製の電球保持具である請求項１，２，３，４又は５記載の電球交換器。
【請求項８】
取付柄が、複数本の取付柄を伸縮自在に設けた取付柄である請求項１，２又は３記載の電球交換器。
【請求項９】
取付柄が、１段目の取付柄の中空部と、２段目の取付柄の中空部とを、どちらかの中空部に差し込んで着脱自在に設けてなる請求項１，２又は３記載の電球交換器。
【考案の詳細な説明】
【技術分野】
【０００１】    この考案は、電球を交換する際に使用するもので、電球保持具を取付柄の上部先端に取付けた電球交換器に係るものである。
【背景技術】
【０００２】  従来は電球を交換する際は、脚立、椅子、梯子などの上に乗っていた。また、従来は管球形状のミニハロゲンランプ用交換器を使用したもの（特許文献１参照）が用いられていた。
【先行技術文献】
【特許文献】
【０００３】
【特許文献１】特開２０００−８２４４５
【考案の概要】
【考案が解決しようとする課題】
【０００４】  この考案は、従来の電球を交換において、高い天井などに設置してある電球を交換する際は、脚立、椅子、梯子などを使用したり、足場を組むなどしてこの上に乗って電球を交換しなければならないという問題点があり、新築の家、ビル、工場などに新たに電球を取り付けたりする際は、脚立、椅子、梯子などを使用したり、足場を組むなどしてこの上に乗って電球を交換しなければならないという問題点があるし、管状の管球形状のミニハロゲンランプ用交換器では電球を交換することができないという問題点などがあった。【０００５】  この考案は、従来の電球を交換において、高い天井などに設置してある電球を交換する際は、脚立、椅子、梯子などを使用したり、足場を組むなどしてこの上に乗って電球を交換しなければならないという問題点を解消することであり、新築の家、ビル、工場などに新たに電球を取り付けたりする際は、脚立、椅子、梯子などを使用したり、足場を組むなどしてこの上に乗って電球を交換しなければならないという問題点を解消すること、管状の管球形状のミニハロゲンランプ用交換器では電球を交換することができないという問題点などを解消することである。
【問題を解決するための手段】
【０００６】  この考案の電球交換器は、底部の上より上部にかけて次第に大きくした中空先太形状の肉薄カップ型又は多角形筒形状の肉薄箱型の電球保持具を、取付柄の上部先端に、取付けたものである。
【考案の効果】
【０００７】  この考案の電球交換器は、底部の上より上部にかけて次第に大きくした中空先太形状の肉薄カップ型又は多角形筒形状の肉薄箱型の電球保持具を、取付柄の上部先端に、取付けたから、電球を交換する時は、取付柄の上部先端に取付けた電球保持具を、高い天井に設置した電球ソケットにネジ止めしてある古い電球に、この取付柄を作業者が手で持ち上げて取付柄先端の電球保持具を差し込んで保持した後に取付柄を逆回転することにより古い電球を電球ソケットより取り外すことできる。この際に脚立、椅子、梯子などを使用したり、足場を組んだりする必要もないとともに脚立などの上に乗って電球を交換する必要もないために簡単に古い電球を取り外すことできる。
そして、この取り外した古い電球を電球保持具で保持したまま取付柄を床に下げて斜めにし、古い電球を作業者が手で電球保持具から取り出した後に、電球保持具に新たな電球を球の方から電球保持具を差し込み、取付柄を持ち上げて電球ソケットの雌ネジに電球の雄ネジを差し込みながら取付柄を正回転することにより新電球を電球ソケットに取り付けることできる。この際に脚立、椅子、梯子などを使用したり、足場を組んだりする必要もないとともに脚立などの上に乗って電球を交換する必要もないために簡単に新電球を取り付けることできる。なお、新築の家、ビル、工場などで未だ電球を取り付けてなく、新たな電球を取り付ける際も、前記と同様にして新電球を電球ソケットに取り付けることできるために脚立などを使用することなく、簡単に新電球を取り付けることできる。
【０００８】  請求項２の電球交換器においては、電球保持具が、取付柄の上部先端部に、着脱自在具により着脱自在に取付けたから、電球交換器を使用した後に、電球保持具を取付柄から着脱自在具を取外すことにより電球保持具と取付柄とを分解して収納・保管の容積、長さなど小さく、短くして収納・保管場所を小さくすることができるいう効果がある。
【０００９】  請求項３の電球交換器においては、電球保持具が、電球の大きさに合致よるように大きさの異なる複数個の電球保持具を用意して交換する電球の大きさに応じて換えて１個の電球保持具を、着脱自在具により取付柄の上部先端部に、着脱自在に取付けたから、電球の大きさに応じて、例えば５ワット電球の電球保持具と６０ワット電球の電球保持具と１００ワット球状電球の電球保持具を、取り外しと取の付け電球の大きさに合わせて取付柄に、交換して取り付けることにより１本の取付柄に複数個の電球保持具を交換して取り付けることができるし、電球保持具と取付柄とを分解して収納・保管の容積を小さくし、長さを短くして収納・保管場所の容積などを小さくすることができるいう効果がある。
【００１０】  請求項４の電球交換器においては、電球保持具が、電球保持具の上端から下端部の上方までに複数個の切欠部をほぼ等間隔に設けたから、取外したり、取付けたりする電球の大きさに応じて電球保持具の多数の保持片が外側へと開くことができるために大きさが多少異なる電球を良く保持することができる。
できる。
【００１１】  請求項５の電球交換器においては、電球保持具が、電球保持具の内側に合成樹脂製滑り止め用クッションを貼付して設けたから、滑り止め用クッションにより電球が回転される際に滑ることなく、電球保持具に良く保持されるために取外し及び取付けの際に円滑に回転することができる。
【００１２】  請求項６の電球交換器においては、電球保持具が、合成樹脂製の電球保持具であるから、電球保持具を造る際に合成樹脂液を型に流し込んで比較的軽量で安価に造ることができるし、軽量な電球保持具として使用することができる。
【００１３】  請求項７の電球交換器においては、電球保持具が、厚紙製の電球保持具であるから、電球保持具を造る際に電球保持具を造る際に厚紙であるために電球保持具加工し易いために比較的軽量で安価に造ることができるし、軽量な電球保持具として使用することができる。
【００１４】  請求項８の電球交換器においては、取付柄が、複数本の取付柄を伸縮自在の取付柄であるから、取付柄を使用する時には伸ばして長い取付柄として使用することができるし、使用後は取付柄を縮めて長さを短くして収納・保管場所の容積などを小さくすることができる。
【００１５】  請求項９の電球交換器においては、取付柄が、１段目の取付柄の中空部と、２段目の取付柄の中空部とを、どちらかの中空部に差し込んで着脱自在に設けたから、取付柄を使用する時にはどちらかの中空部に差し込んむことに長い取付柄として使用することができるし、使用後は逆に差し込んだ取付柄を抜いて取付柄の長さを短くすることにより取付柄及び電球交換器全体の収納・保管場所の容積などを小さくすることができる。
【００１６】
【図面の簡単な説明】
【００１７】
【図１】  本考案品の正面図である。
【図２】  同じく平面図である。
【図３】  使用時の正面図である。
【図４】  別の本考案品の断面図である。
【図５】  同じく仮着前の正面図である。
【図６】  同じくカップ型電球保持具の正面図である。
【図７】  別のカップ型電球保持具の正面図である。
【図８】  更に別のカップ型電球保持具の断面図である。
【図９】  本考案品の取付柄の断面図である。
【図１０】  別の本考案品の取付柄の断面図である。
【考案を実施するための形態】
【００１８】  この考案の電球交換器は、底部の上より上部にかけて次第に大きくした中空先太形状の肉薄カップ型又は多角形筒形状の肉薄箱型の電球保持具を、取付柄の上部先端に、取付けたものである。
【実施例１】
【００１９】  電球交換器は、図１図２に図示したように、肉薄カップ型の電球保持具１の下端を、取付柄２の上部先端に取付けた電球交換器３である。【００２０】  この電球交換器３を使用して電球を交換する際は、図３に図示したように、電球保持具１に電球４の球を挿入して取付柄２を手で逆回転して電球の口金４´をソケット５から取外し、古い電球を電球保持具から取り出した後に、新電球を電球保持具を差し込み、取付柄でソケットに電球の口金を差し込みながら取付柄を正回転して新電球をソケットに取り付ける。なお、この実施例では電球について説明したが、電球と同様に電球型蛍光ランプをこの実施例の電球交換器で交換することができますし、電球保持具はカップ型に代えて多角形筒形状の箱型の電球保持具でもよい。
【実施例２】
【００２１】  実施例２の電球交換器は、図４図５に図示したように、カップ型の電球保持具１１の下部に、下部開口の仮着用円形溝１５を有するとともに水平方向に貫通孔１６を有する取付具１４を、固定して設け、この取付具１４の円形溝１５に、上端部に水平方向に貫通孔１７を有する取付柄１２を、挿入し、取付柄の貫通孔１７から取付具の円形溝１５までボルト１８を貫通してナット１９で着脱自在に仮着した電球交換器１３である。
【実施例３】
【００２２】  実施例３の電球交換器の電球保持具２１は、図６図示したように大、中、小など複数個のカップ型電球保持具２１，２１′，２１″であり、交換する電球の大きさに応じて複数個のうち１個の電球保持具を選んで、この電球保持具を前記実施例２と同様に取付柄（図示せず）着脱自在に仮着した電球交換器である。
【実施例４】
【００２３】  実施例４の電球交換器の電球保持具３１は、図７図示したように、電球保持具の上端から下端部の上方までに複数個例えば４個の切欠部をほぼ等間隔に設けるとともに大、中、小など複数個のカップ型電球保持具３１，３１′，３１″であり、交換する電球の大きさに応じて複数個のうち１個の電球保持具を選んで、この電球保持具を前記実施例２と同様に取付柄（図示せず）着脱自在に仮着した電球交換器である。
【実施例５】
【００２４】  実施例５の電球交換器の電球保持具４１は、図８図示したように、電球保持具の内側に合成樹脂製滑り止め用クッション４２を貼付けた電球保持具であり、この電球保持具を前記実施例１と同様に電球保持具の下端を取付柄（図示せず）の上部先端に取付けた電球交換器である。この実施例では滑り止め用クッションとして電球保持具の内側全面に貼付けたものについて説明したが、滑り止め用クッションは間隔をおいて縦方向又は横方向に電球保持具の内側に貼付けたものもよい。
【実施例６】
【００２５】  実施例６の電球交換器の電球保持具（図示せず）は、電球保持具が合成樹脂製のものであり、この電球保持具を前記実施例１又は前記実施例２と同様に電球保持具の下端を取付柄（図示せず）の上部先端に取付け又は仮着した電球交換器である。
【実施例７】
【００２６】  実施例７の電球交換器の電球保持具（図示せず）は、電球保持具が紙製のものであり、この電球保持具を前記実施例１又は前記実施例２と同様に電球保持具の下端を取付柄（図示せず）の上部先端に取付け又は仮着した電球交換器である。
【実施例８】
【００２７】  実施例８の電球交換器の取付柄５２は、図９図示したように、１段目の中空の取付柄５２´は下部の中空部を先太形にし、２段目の中空の取付柄５２″は上部の中空外側を先細形にして１段目の取付柄５２´に２段目の取付柄５２″を差し込んで着脱自在に設けた取付柄であり、この取付柄の上部先端に前記電球保持具を前記実施例１又は前記実施例２と同様に取付け又は仮着した電球交換器である。
【実施例９】
【００２８】  実施例９の電球交換器の取付柄６２は、図１０図示したように、１段目の細い中空の取付柄６２´を２段目の太い中空の取付柄６２″に差し込んで着脱自在に設けた取付柄であり、この取付柄の上部先端に前記電球保持具を前記実施例１又は前記実施例２と同様に取付け又は仮着した電球交換器である。
【符号の説明】
【００２９】１    電球保持具
２    取付柄
３    電球交換器
４    電球
４´  電球の口金
５    ソケット
【図１】
0003152164.tif 000003
【図２】
0003152164.tif 000004
【図３】
0003152164.tif 000005
【図４】
0003152164.tif 000006
【図５】
0003152164.tif 000007
【図６】
0003152164.tif 000008
【図７】
0003152164.tif 000009
【図８】
0003152164.tif 000010
【図９】
0003152164.tif 000011
【図１０】
0003152164.tif 000012